(57)【要約】      （修正有）【課題】自転車又は原動機付き自転車のハンドル付近だけでなく、後輪部等に自由に取付け取外しができ、取付け部分を調整することができる長尺物の保持具を提供する。【解決手段】両端部が開口している外側筒体１０と、外側筒体１０の中空部に収納された一端部が開口している内側筒体２０と、外側筒体１０の一端部に設けられた取付け部イ３０と、内側筒体２０の開口されていない他端部に設けられた取付け部ロ４０と、を備える。外側筒体１０の中空部の軸方向に内側筒体２０が移動することにより、取付け部イ３０と取付け部ロ４０との間の距離を調整することができる。【選択図】図１
0003173241.tif 000002
【実用新案登録請求の範囲】
【請求項１】
両端部が開口している外側筒体と、
前記外側筒体の中空部に収納された一端部が開口している内側筒体と、
前記外側筒体の一端部に設けられた取付け部イと、
前記内側筒体の開口されていない他端部に設けられた取付け部ロと、
を備える長尺物の保持具であって、
前記外側筒体の中空部の軸方向に前記内側筒体が移動することにより、前記取付け部イと前記取付け部ロとの間の距離を調整することができる、
ことを特徴とする長尺物の保持具。
【請求項２】
前記外側筒体は、
前記取付け部イが設けられていない他端部に、前記内側筒体の外周部を案内するガイド部イが形成しており、
前記内側筒体は、
前記一端部に、前記内側筒体の中空部を案内するガイド部ロが形成されている、
ことを特徴とする請求項１に記載の長尺物の保持具。
【請求項３】
弾性体と、
を備える請求項２に記載の長尺物の保持具であって
前記弾性体は、
前記外側筒体の中空部と前記内側筒体の外周部の間に設けられており、前記ガイド部イと前記ガイド部ロに接しているため、前記外側筒体と前記内側筒体が軸方向に伸縮することによって、前記取付け部イと前記取付け部ロとの間の距離を調整することができる、
ことを特徴とする請求項２に記載の長尺物の保持具。
【請求項４】
前記外側筒体は、
前記外側筒体の一端部に長尺物を固定するための拘束部が形成されている、
ことを特徴とする請求項１〜３のいずれか１項に記載の長尺物の保持具。
【請求項５】
前記弾性体は、スプリングである、
ことを特徴とする請求項３〜４のいずれか１項に記載の長尺物の保持具。
【請求項６】
前記取付け部イ又は前記取付け部ロは、クリップである、
ことを特徴とする請求項１〜５のいずれか１項に記載の長尺物の保持具。
【請求項７】
前記取付け部イ又は前記取付け部ロは、クリップである、
ことを特徴とする請求項１〜５のいずれか１項に記載の傘立て具。
【考案の詳細な説明】
【技術分野】
【０００１】
本発明は杖、傘等の長尺物の保持具に係り、特に自転車又は原動機付自転車等に取り付けて使用する長尺物の保持具に関するものである。
【背景技術】
【０００２】
傘を持って又は傘を使ってから自転車で移動するような場合、両手はハンドルを握っているので傘を手に持つことができない。そのため、傘をハンドルに引っ掛けたり、フレームと車輪カバーの間に保持したりするため、走行中の振動で傘が不安定になって車輪に巻き込む等の危険が生じている。また、近年では自転車のハンドルに傘を保持するための傘立て具もあるが、保持部が１カ所しかないため大きな振動によって傘の先端部が車輪に巻き込む危険性がある。
【０００３】
従来のこの種の傘立てとして、特許文献１に開示されたものがある。特許文献１は、自転車のハンドル前方に設けた漏斗状の挿入部材に設けた取付け部材を物入れ籠に取付けて、傘を挿入して保持したものである。
【０００４】
また、取付け及び取外し操作を容易に行うことができるものとして、特許文献２が開示されている。特許文献２は、閉傘状態の傘を差し込んで収納し、収納ケースと着脱自在に取り付けられたホルダーとから成り、収納ケースは伸縮可能なように複数の筒体から多段に形成されている。
【先行技術文献】
【特許文献】
【０００５】
【特許文献１】特開平８−３１８９７６
【特許文献２】特開２００４−３３１９２４
【考案の概要】
【考案が解決しようとする課題】
【０００６】
しかしながら、特許文献１は、自転車の物入れ籠に取付けてあるため、籠の中に多くの物が入らないという問題がある。特許文献２は、自動車の車内用の物であり、自転車等には取付けることができないという問題がある。
【０００７】
そこで、本発明は、自転車又は原動機付き自転車のハンドル付近だけでなく、後輪部等に自由に取付け・取外しができ、収納ケースが伸縮可能なために取付け部分を調整することができる長尺物の保持具、を提供することを目的とする。
【課題を解決するための手段】
【０００８】
上記目的を達成するために、本発明に係る長尺物の保持具は、両端部が開口している外側筒体と、前記外側筒体の中空部に収納された一端部が開口している内側筒体と、前記外側筒体の一端部に設けられた取付け部イと、前記内側筒体の開口されていない他端部に設けられた取付け部ロと、を備える長尺物の保持具であって、前記外側筒体の中空部の軸方向に前記内側筒体が移動することにより、前記取付け部イと前記取付け部ロとの間の距離を調整することができる、ことを特徴とする。
【０００９】
これによって、長尺物の保持具は、全長の大部分を案内することができるため、自転車等の振動が発生しても安定して長尺物を保持することができる。また、取付け部の距離を調整することができるので、自転車等のハンドル部分に限定することなく、後輪部の荷台等にも取り付けることが可能である。
【００１０】
ここで、前記外側筒体は、前記取付け部イが設けられていない他端部に、前記内側筒体の外周部の軸方向に案内するガイド部イが形成されており、前記内側筒体は、前記一端部が、前記内側筒体の中空部の軸方向に案内するガイド部ロが形成されている、ことを特徴とする請求項１に記載の長尺物の保持具、としてもよい。
【００１１】
これによって、外側筒体と内側筒体は、しっかり案内することによって、ガタつきがなく安定して摺動することができるので、わずかな力で外側筒体と内側筒体を調整することができる、という効果が発揮される。
【００１２】
弾性体と、を備える請求項２に記載の長尺物の保持具であって  前記弾性体は、前記外側筒体の中空部と前記内側筒体の外周部の間に設けられており、前記ガイド部イと前記ガイド部ロに接しているため、前記外側筒体と前記内側筒体が軸方向に伸縮することによって、前記取付け部イと前記取付け部ロとの間の距離を調整することができる、ことを特徴とする請求項２に記載の長尺物の保持具、とするのが好ましい。
【００１３】
これによって、外側筒体と内側筒体は、適度な張力を有することができる。そのため長尺物の保持具は、取付け部が緩みにくくなり、長尺物の保持具を安定して固定することができる。
【００１４】
前記外側筒体は、前記外側筒体の一端部に長尺物を固定するための拘束部が形成されている、ことを特徴とする請求項１〜３のいずれか１項に記載の長尺物の保持具、とするのが好ましい。
【００１５】
これによって、長尺物は、紐等で固定することになるので、自転車等の振動によって長尺物が動くことなく、安定して保持することができる。
【００１６】
前記弾性体は、スプリングである、ことを特徴とする請求項２〜４のいずれか１項に記載の長尺物の保持具、とするのが好ましい。
【００１７】
これによって、長尺物の保持具は、構造が簡単で張力を調整するのも容易にできる。また、安価にすることができる。
【００１８】
前記取付け部イ又は前記取付け部ロは、クリップである、ことを特徴とする請求項１〜５のいずれか１項に記載の長尺物の保持具、とするのが好ましい。
【００１９】
これによって、ワンタッチで操作することができるので、容易に取付け取外しをすることができる。
【００２０】
前記取付け部イ又は前記取付け部ロは、クリップである、ことを特徴とする請求項１〜５のいずれか１項に記載の傘立て具、とするのが好ましい。
【００２１】
これによって、もっとも使用頻度が高い傘専用にすることによって、外側筒体の開口の大きさや外側筒体や内側筒体の長さ等を傘の大きさや形状に合わせることができるので、より安定して傘を保持することができる。
【考案の効果】
【００２２】
以上の説明から明らかなように、本発明に係る長尺物の保持具は、自転車又は原動機付き自転車のハンドル付近だけでなく、後輪部等に自由に取付け・取外しができ、収納ケースが伸縮可能なため取付け部を調整することができる、という効果が得られる。
【図面の簡単な説明】
【００２３】
【図１】本発明の実施形態に係る長尺物の保持具の斜視図
【図２】本発明の実施形態に係る長尺物の保持具の正面図
【図３】本発明の実施形態に係る長尺物の保持具の右側断面図
【図４】本発明の実施形態に係る長尺物の保持具の背面図
【図５】本発明の実施形態に係る長尺物の保持具の左側面図
【図６】本発明の実施形態に係る長尺物の保持具の平面図
【図７】本発明の実施形態に係る長尺物の保持具の底面図
【図８】本発明の実施形態に係る長尺物の保持具の使用例を示す説明図
【考案を実施するための形態】
【００２４】
以下に、本発明の実施形態について、図面を参照しながら説明する。図１は本発明の実施形態に係る長尺物の保持具の斜視図を示す。
【００２５】
長尺物の保持具は、両端部が開口している外側筒体１０と、外側筒体１０の中空部に収納された一端部２１が開口している内側筒体２０と、外側筒体１０の一端部１１に設けられた取付け部イ３０と、内側筒体２０の開口されていない他端部２２に設けられた取付け部ロ４０と、を備える長尺物の保持具であって、外側筒体１０の中空部の軸方向に内側筒体２０が移動することにより、取付け部イ３０と取付け部ロ４０との間の距離を調整することができる。
【００２６】
外側筒体１０は、両端部が開口している筒体で構成されている。外側筒体１０の形状は中空部を有する筒体であり、内側筒体２０が中空部に入り、傘や杖等の長尺物が保持できる大きさが望ましい。また材料は、強度のある鉄パイプやアルミパイプ等のほか成形しやすい樹脂やプラスチック等でもよい。
【００２７】
外側筒体１０の後述する取付け部イ３０が設けられている一端部１１は、円形が望ましいが、機能が満足すれば四角や六角形、デザイン等を重視して星形等でもよい。また一端部１１には、後述する取付け部イ３０や長尺物を固定するための拘束部６０が形成される。
【００２８】
外側筒体１０の取付け部イが設けられていない他端部１２は、内側筒体２０の後述する開口している一端部２１と同形状である必要がある。そして、外側筒体１０と内側筒体２０が軸方向に伸縮する時のストッパーとなるだけでなく、安定して伸縮するための案内する役目を有する。それは、外側筒体１０の他端部１２に設けられたガイド部イの内周と内側筒体２０の外周とが勘合し、内側筒体２０の一端部２１に設けられたガイド部ロの外周と外側筒体１０の内周とが勘合しているのが望ましい。また、後述する弾性体５０を案内する役目も有する。
【００２９】
内側筒体２０は、開口している一端部２１と開口していない他端部２２からなる筒体で構成されている。内側筒体２０の形状は中空部を有する筒体であり、外側筒体２０の中空部に入り、傘や杖等の長尺物が保持できる大きさが望ましい。また材料は、強度のある鉄パイプやアルミパイプ等のほか成形しやすい樹脂やプラスチック等でもよい。
【００３０】
内側筒体２０の一端部２１は、外側筒体１０の他端部１２と同形状である必要がある。そして、外側筒体１０と内側筒体２０が軸方向に伸縮する時のストッパーとなるだけでなく、安定して伸縮するための案内する役目を有する。それは、外側筒体１０の他端部１２に設けられたガイド部イの内周と、内側筒体２０の外周とが勘合し、内側筒体２０の一端部２１に設けられたガイド部ロの外周と、外側筒体１０の内周とが勘合しているのが望ましい。また、後述する弾性体５０を案内する役目も有する。
【００３１】
内側筒体２０の他端部２２は、外側筒体１０の一端部１１と同形状であることが望ましい。また、他端部２２には、後述する取付け部ロ４０が形成される。
【００３２】
取付け部イ３０と取付け部ロ４０は、自転車等に固定するための機能を有する。そのため、取付け部イ３０と取付け部ロ４０は、クランプやボルト等の固定することができる物が望ましい。また、フックやクリップ等ならワンタッチで取付け取外しが容易にできる。取付け部イ３０は外側筒体１０の一端部１１に、取付け部ロ４０は内側筒体２０の他端部２２にそれぞれ設けられているが、任意の位置でもよい。
【００３３】
弾性体５０は、外側筒体１０の他端部１２と内側筒体２０の一端部２１の間に設けられており（図３参照）、外側筒体１０と内側筒体２０を引っ張ることによって、取付け部イ３０と取付け部ロ４０との間に張力を持たせる機能を有する。弾性体５０がなければ、長尺物の保持具が取り付けられた自転車等が大きく動けば、外側筒体１０と内側筒体２０も動くことになり、長尺物も振動する。弾性体５０は、それを防止するためのものであり、外側筒体１０と内側筒体２０が動かないようにして、長尺物の振動を吸収するので、長尺物の保持具を安定して固定することができる。本発明では、弾性体５０はスプリングであるが、ウレタン等でもよい。
【００３４】
拘束部６０は、長尺物をより安定して固定させるための機能を有する。長尺物は、外側筒体１０と内側筒体２０の中空部に挿入され、外側筒体１０の一端部１１の形状で案内される。しかし、一端部１１と長尺物の形状は同一でないので、どうしてもすき間ができるため自転車等の大きな動きによって長尺物が振動してしまう。そのため、長尺物が振動しないように拘束部６０によって安定して保持させる。拘束部６０は、外側筒体１０の一端部１１に設けられているが、任意の位置でよい。本発明では、拘束部６０は紐であるが、面ファスナーやクリップ等など簡単に長尺物を保持できるものが望ましい。
【００３５】
次に、図８に示すように、長尺物の保持具を自転車に固定する例を説明する。図８のＡは、長尺物の保持具を自転車の前輪部のフレームに固定する例を示す。外側筒体１０の取付け部３０は、自転車のハンドル部に固定し、内側筒体２０の取付け部４０は、自転車の前輪部のフレームに固定することによって長尺物の保持具を自転車に固定している。自転車のハンドルと前輪部のフレームの距離は、各自転車によって異なる。そのため、外側筒体１０と内側筒体２０を伸縮させることによって外側筒体１０の取付け部３０と内側筒体２０の取付け部４０との距離を調整して、自転車のハンドルと前輪部のフレームの距離に合わせることができる。また、弾性体５０は、外側筒体１０の取付け部３０と内側筒体２０の取付け部４０の間に適度な張力をもたらすため、長尺物の保持具を安定して自転車に固定することができる。
【００３６】
図８のＡは、自転車のハンドル部と前輪部のフレームに固定するほかに、前輪の上部に取り付けられたカゴと前輪部のフレームに固定する。または、前輪の上部に取り付けられたカゴの上部と下部等に固定することができる。
【００３７】
図８のＢは、長尺物の保持具を自転車の後輪部のフレームに固定する例を示す。外側筒体１０の取付け部３０は、自転車の後輪の上部にある荷台に固定し、内側筒体２０の取付け部４０は、自転車の後輪部のフレームに固定することによって長尺物の保持具を自転車に固定している。
【００３８】
以上説明したように、本発明の実施形態に係る長尺物の保持具は、自転車又は原動機付き自転車のハンドル付近だけでなく、後輪部等に自由に取付け取外しができ、収納ケースが伸縮可能なため取付け部分を調整することができる。
【００３９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００４０】
１０  外側筒体
１１  外側筒体の一端部
１２  外側筒体の他端部
２０  内側筒体
２１  内側筒体の一端部
２２  内側筒体の他端部
３０  取付け部イ
４０  取付け部ロ
５０  弾性体
６０  拘束部
【図１】
0003173241.tif 000003
【図２】
0003173241.tif 000004
【図３】
0003173241.tif 000005
【図４】
0003173241.tif 000006
【図５】
0003173241.tif 000007
【図６】
0003173241.tif 000008
【図７】
0003173241.tif 000009
【図８】
0003173241.tif 000010
【手続補正書】
【提出日】平成23年11月22日(2011.11.22)
【手続補正１】
【補正対象書類名】実用新案登録請求の範囲
【補正対象項目名】全文
【補正方法】変更
【補正の内容】
【実用新案登録請求の範囲】
【請求項１】
両端部が開口している外側筒体と、
前記外側筒体の中空部に収納された一端部が開口している内側筒体と、
前記外側筒体の一端部に設けられた取付け部イと、
前記内側筒体の開口されていない他端部に設けられた取付け部ロと、
を備える長尺物の保持具であって、
前記外側筒体の中空部の軸方向に前記内側筒体が移動することにより、前記取付け部イと前記取付け部ロとの間の距離を調整することができる、
ことを特徴とする長尺物の保持具。
【請求項２】
前記外側筒体は、
前記取付け部イが設けられていない他端部に、前記内側筒体の外周部を案内するガイド部イが形成しており、
前記内側筒体は、
前記一端部に、前記内側筒体の中空部を案内するガイド部ロが形成されている、
ことを特徴とする請求項１に記載の長尺物の保持具。
【請求項３】
弾性体と、
を備える請求項２に記載の長尺物の保持具であって
前記弾性体は、
前記外側筒体の中空部と前記内側筒体の外周部の間に設けられており、前記ガイド部イと前記ガイド部ロに接しているため、前記外側筒体と前記内側筒体が軸方向に伸縮することによって、前記取付け部イと前記取付け部ロとの間の距離を調整することができる、
ことを特徴とする請求項２に記載の長尺物の保持具。
【請求項４】
前記外側筒体は、
前記外側筒体の一端部に長尺物を固定するための拘束部が形成されている、
ことを特徴とする請求項１〜３のいずれか１項に記載の長尺物の保持具。
【請求項５】
前記弾性体は、スプリングである、
ことを特徴とする請求項３〜４のいずれか１項に記載の長尺物の保持具。
【請求項６】
前記取付け部イ又は前記取付け部ロは、クリップである、
ことを特徴とする請求項１〜５のいずれか１項に記載の長尺物の保持具。